(57)【要約】【課題】患者を外部から隔離した状態のまま、搬送車などでも安全に搬送することができる簡易アイソレータを提供する。【解決手段】車椅子ＷＣに取り付けて使用される簡易アイソレータ１であって、車椅子ＷＣに固定されるフレーム１０と、フレーム１０に対して取り付けられる、中空なカバー２０と、カバー２０内と連通された換気手段３０と、を備えており、カバー２０は、複数枚のシート状部材２１を、シート状部材２１よりも高強度の補強部材２２によって補強した構造を有しており、補強部材２２には、カバー２０をフレーム１０に固定する固定部材22aと、カバー２０の内部に設けられた、患者の体を保持するシートベルト２５と、が固定されている。簡易アイソレータ１を取り付けた車椅子ＷＣに患者を載せたまま搬送車で搬送する場合でも、患者の体を安定した状態に保持しておくことができ、安全に搬送することができる。【選択図】図１
2012110453.tif 000002
【特許請求の範囲】
【請求項１】
車椅子に取り付けて使用される簡易アイソレータであって、
車椅子に固定されるフレームと、
該フレームに対して取り付けられる、中空なカバーと、
該カバー内と連通された換気手段と、を備えており、
前記カバーは、
シート状部材によって形成されたものであって、該シート状部材よりも高強度の補強部材によって補強された補強部分を有しており、
該補強部分には、
前記カバーを前記フレームに固定する固定部材と、
前記カバーの内部に設けられた、患者の体を保持する保持手段と、が固定されている
ことを特徴とする簡易アイソレータ。
【請求項２】
前記フレームは、
車椅子に取り付けた状態において、該車椅子の前側に位置する前フレームと、
該前フレームよりも上方に位置するように設けられ、該前フレーム側から後方に向かって伸びた上部フレームと、
該上部フレームの前端と前記前フレームの上端との間を連結し、かつ、該前フレームの上端から後方に向かって傾斜した傾斜フレームと、を備えている
ことを特徴とする請求項１記載の簡易アイソレータ。
【請求項３】
前記フレームが、
左右一対の側方フレームと、
該左右一対の側方フレームの間に設けられた、両者を連結する連結機構と、を備えており、
該連結機構が、
前記左右一対の側方フレームを離間した状態で固定する使用姿勢と、
前記左右一対の側方フレームが接近した折畳姿勢と、を取り得る機構である
ことを特徴とする請求項１または２記載の簡易アイソレータ。
【発明の詳細な説明】
【技術分野】
【０００１】
本発明は、簡易アイソレータに関する。さらに詳しくは、感染症患者、感染症の疑いのある患者、免疫力が低下した患者を隔離して搬送するために使用される簡易アイソレータに関する。
【背景技術】
【０００２】
感染症の疑いがある患者や免疫力が低下した患者は、感染の拡大を防止するために、ベッドなどが内部に設けられた隔離室（アイソレータ）内に隔離される。かかるアイソレータには、通常、内部を換気するために換気用の装置を備えており、この換気装置によりアイソレータ内を陰圧にしたり陽圧にしたりすることができるようになっている。このため、感染症の疑いがある患者を収容する場合には、アイソレータ内を陰圧にすれば、感染源となるウイルスが外部に排出されることを防ぐことができる。また、免疫力が低下した患者を収容する場合には、アイソレータ内を陽圧にすれば、外部からウイルスなどがアイソレータに侵入することを防ぐことができる。
【０００３】
しかし、上記のごとき患者を検査などの目的のため病院などに搬送する場合、また、感染症が疑われる患者をその患者が発見された場所から病院などに搬送する場合には、その搬送中にウイルスなどが拡散されてしまったり、患者がウイルスなどに感染してしまったりする可能性がある。かかる問題を防ぐ上では、患者を外部から隔離した状態で搬送することが必要である。
【０００４】
患者を外部から隔離した状態で搬送する装置として、車椅子型アイソレータが、特許文献１に開示されている。
特許文献１の車椅子型アイソレータは、車椅子の座部と背もたれ部との間に着脱可能に取り付けられ、内部が外界と隔離された密閉空間に形成されて前記患者を着座して収容する隔離部と、隔離部内を換気して前記外界と所定の圧力差に保つ換気ユニットと、を備えている。このため、隔離部を車椅子に取り付けてこの隔離部内に患者を収容すれば患者を外部から隔離することができるし、患者を車椅子に座らせた状態で搬送することができる。
【０００５】
しかるに、特許文献１の車椅子型アイソレータでは、患者は単に車椅子に座っているだけであり、患者を車椅子と固定することはできない。すると、この車椅子型アイソレータに患者を載せたまま搬送車に乗せた場合、車椅子を搬送車に固定することはできても、患者を車椅子にも搬送車にも固定しないまま搬送することとなり、非常に危険である。
【先行技術文献】
【特許文献】
【０００６】
【特許文献１】特許第４３８１０４６号公報
【発明の概要】
【発明が解決しようとする課題】
【０００７】
本発明は上記事情に鑑み、患者を外部から隔離した状態のまま、搬送車などでも安全に搬送することができる簡易アイソレータを提供することを目的とする。
【課題を解決するための手段】
【０００８】
第１発明の簡易アイソレータは、車椅子に取り付けて使用される簡易アイソレータであって、車椅子に固定されるフレームと、該フレームに対して取り付けられる、中空なカバーと、該カバー内と連通された換気手段と、を備えており、前記カバーは、シート状部材によって形成されたものであって、該シート状部材よりも高強度の補強部材によって補強された補強部分を有しており、該補強部分には、前記カバーを前記フレームに固定する固定部材と、前記カバーの内部に設けられた、患者の体を保持する保持手段と、が固定されていることを特徴とする。
第２発明の簡易アイソレータは、第１発明は、前記フレームは、車椅子に取り付けた状態において、該車椅子の前側に位置する前フレームと、該前フレームよりも上方に位置するように設けられ、該前フレーム側から後方に向かって伸びた上部フレームと、該上部フレームの前端と前記前フレームの上端との間を連結し、かつ、該前フレームの上端から後方に向かって傾斜した傾斜フレームと、を備えていることを特徴とする。
第３発明の簡易アイソレータは、第１または第２発明は、前記フレームが、左右一対の側方フレームと、該左右一対の側方フレームの間に設けられた、両者を連結する連結機構と、を備えており、該連結機構が、前記左右一対の側方フレームを離間した状態で固定する使用姿勢と、前記左右一対の側方フレームが接近した折畳姿勢と、を取り得る機構であることを特徴とする。
【発明の効果】
【０００９】
第１発明によれば、簡易アイソレータを車椅子に取り付けて使用すると、簡易アイソレータのカバー内に患者を収容し、外部と隔離した状態で搬送することができる。しかも、カバーは、シート状部材よりも高強度の補強部材を介して固定部材によってフレームに固定されており、この補強部材に保持手段が固定されている。すると、保持手段によって保持された患者の体は、実質的に、フレームを介して車椅子に固定されることになる。よって、簡易アイソレータを取り付けた車椅子に患者を載せたまま搬送車で搬送する場合でも、患者の体を安定した状態に保持しておくことができ、安全に搬送することができる。
第２発明によれば、フレームの前方上端が傾斜フレームになっているので、簡易アイソレータを取り付けた車椅子を搬送車に載せる際に、フレームが邪魔になることを防ぐことができる。
第３発明によれば、連結機構を使用姿勢とすれば、左右一対の側方フレーム間に患者を収容するスペースを形成することができ、連結機構を折畳姿勢とすれば、フレームをコンパクトに畳んでおくことができる。すると、安定した状態で簡易アイソレータを使用できるし、使用しないときには、小さなスペースでも簡易アイソレータを保管できる。
【図面の簡単な説明】
【００１０】
【図１】本実施形態の簡易アイソレータ１の概略説明図である。
【図２】本実施形態の簡易アイソレータ１におけるフレーム１０の単体概略説明図である。
【図３】本実施形態の簡易アイソレータ１におけるカバー２０の単体概略斜視図である。
【図４】本実施形態の簡易アイソレータ１におけるカバー２０の単体説明図であって、（Ａ）は概略側面図であり、（Ｂ）は、要部断面図である。
【図５】他のカバー２０の単体概略説明図である。
【発明を実施するための形態】
【００１１】
つぎに、本発明の実施形態を図面に基づき説明する。
本発明の簡易アイソレータは、感染症患者及び感染症の疑いのある患者などを外部から隔離して搬送するために使用されるアイソレータであって、車椅子に取り付けた状態で使用でき、しかも、車椅子に載せられている患者をそのまま搬送車で搬送する場合でも安定した状態に保持しておくことができるようにしたことに特徴を有している。
なお、本発明の簡易アイソレータが取り付けられる車椅子は、市販されている一般的な車椅子であって、座部、背もたれ、肘掛、足置きなど備えたものであればよく、とくに限定されない。
【００１２】
（簡易アイソレータ１の説明）
図１に示すように、本実施形態の簡易アイソレータ１は、車椅子ＷＣに取り付けて使用するものであり、フレーム１０と、このフレーム１０に取り付けられる中空なカバー２０と、このカバー２０内と連通された換気手段３０とを備えている。
なお、換気手段３０は、車椅子ＷＣの座部の下方の空間、または、座部後方に取り付けられるが、図１では、構造を分かりやすくするために記載を省略している。同様に、カバー２０についても想像線により簡略化して記載している。
【００１３】
この本実施形態の簡易アイソレータ１は、フレーム１０を車椅子ＷＣに取り付けて、このフレーム１０にカバー２０を取り付けることによって、カバー２０内に外部と隔離された中空な空間を形成できるようになっている。
【００１４】
カバー２０内は換気手段３０と連通されており、この換気手段３０によって内部の換気などを行えるようになっている。
換気手段３０は、公知の換気手段であり、カバー２０内から空気を吸引してカバー２０内を陰圧にして内部から吸引した空気を浄化して外部に排出できる機能を有するものや、外気を浄化してカバー２０に供給してカバー２０内を陽圧にすることができる機能を有するものである。
【００１５】
以上のごとき構造を有するので、本実施形態の簡易アイソレータ１では、カバー２０内に患者を収容すれば、患者を外部から隔離することができる。しかも、換気手段３０によって、カバー２０からウイルスなどに汚染された空気が外部に排出されることや、外部からウイルスなどに汚染された空気が入ることを防ぐことができる。よって、患者から排出されるウイルスなど拡散させたり、患者をウイルスに感染させたりすることなく、患者を車椅子ＷＣに載せた状態で移動させることができる。
【００１６】
なお、換気手段３０は、カバー２０の適所にパイプ、ホースなどを介して接続すればよい（図４（Ａ）参照）。図４（Ａ）では、カバー２０はその背面において換気手段３０と連通されているが、カバー２０と換気手段３０を連通する位置はとくに限定されない。
【００１７】
また、カバー２０には、換気手段３０との接続部分以外に、適所に外部との間を連通する連通部が設けられている。この連通部は、換気手段３０から浄化空気が供給される場合には排気口として機能し、換気手段３０から空気が吸引される場合には吸気口として機能するものである。この連通部の構造は、前記機能を有する構造であればとくにその構造は限定されないが、HEPAフィルタなどを設けてウイルス、細菌などが通気部を通過することを防ぐことができる構造をなっていることが好ましい。
【００１８】
さらに、本実施形態の簡易アイソレータ１は、車椅子ＷＣに取り付けることができる大きさであればよいが、車椅子ＷＣに取り付けたときに、地面から簡易アイソレータ１の上端までの高さが約１３００ｍｍ以下となるように形成されていることが好ましい。かかる大きさであれば、本実施形態の簡易アイソレータ１を取り付けた車椅子ＷＣを、スロープなどを使って介護用の自動車などに載せることが可能となるので、患者の移動がより一層容易になる。
【００１９】
（フレーム１０およびカバー２０の説明）
以下、上述した本実施形態の簡易アイソレータ１におけるフレーム１０およびカバー２０について、詳細に説明する。
【００２０】
（フレーム１０の説明）
フレーム１０は、車椅子ＷＣのフレームに固定されて使用されるものである。
図２に示すように、フレーム１０は複数本のパイプを組み合わせて形成されている。このフレーム１０は、左右一対の側方フレーム10s，10sと、この左右一対の側方フレーム10s，10sの間に設けられた両者を連結する連結機構１８とから構成されている。
【００２１】
（側方フレーム10sの説明）
側方フレーム10sは、上述したように、本実施形態の簡易アイソレータ１を車椅子ＷＣに取り付けたときに、地面から簡易アイソレータ１の上端までの高さが約１３００ｍｍ以下となるように形成されている。側方フレーム10sを形成する部材は、ステンレスなどのように、錆びにくく薬品などによる殺菌消毒を行っても腐食しない材料によって形成されたパイプなどによって形成されることが好ましいが、その素材はとくに限定されない。
【００２２】
図２に示すように、側方フレーム10sは、互いに平行に設けられた前フレーム１１と後フレーム１２とを備えている。前フレーム１１および後フレーム１２は、いずれもその下端に車椅子ＷＣのフレームと連結するための固定部を備えており、この固定部によって車椅子ＷＣに固定できるようになっている。固定部は図示しないが、その構造はとくに限定されず、公知の部品や器具を使用することができる。
なお、前フレーム１１は、その上端の高さが後フレーム１２の上端よりも低くなるように形成されているが、その理由は後述する。
【００２３】
（連結フレーム１３の説明）
図２に示すように、前フレーム１１と後フレーム１２との間は、連結フレーム１３によって連結されている。連結フレーム１３は、前フレーム１１の上端と後フレーム１２の上端との間を連結する上部接続フレーム１４と、上部接続フレーム１４よりも下方の位置を連結する下部接続フレーム１５とから構成されている。
【００２４】
（上部接続フレーム１４の説明）
上部接続フレーム１４は、上方フレーム14aと傾斜フレーム14bとから構成されている。
【００２５】
上方フレーム14aは、その後端が後フレーム１２の上端と連結されており、その軸方向が前フレーム１１の軸方向と交差するように（好ましくは直交するように）設けられている。この上方フレーム14aの軸方向の長さは、前フレーム１１と後フレーム１２との間の距離よりも短くなっている。
【００２６】
この上方フレーム14aの前端と前フレーム１１の上端との間には、両者の間をつなぐように傾斜フレーム14bが設けられている。上述したように、前フレーム１１の上端の位置が後フレーム１２の上端の位置よりも低くなっているので、傾斜フレーム14bは、前フレーム１１の上端から後方に向かって（上方フレーム14aの前端に向かって）上方に傾斜するように設けられる。
【００２７】
つまり、側方フレーム10sの前方上端が傾斜フレーム14bになっており、側方フレーム10sは、側方から見たときに、前端上部の角が削られたような形状に形成されている。このため、本実施形態の簡易アイソレータ１を取り付けた車椅子ＷＣを介護用車などの搬送車に載せる際に、簡易アイソレータ１のフレームが搬送車のボディと干渉することを防ぐことができる。
【００２８】
（下部接続フレーム１５の説明）
また、下部接続フレーム１５は、前フレーム１１と後フレーム１２とを連結するものであり、後フレーム１２の軸方向と直交する水平フレーム15aと、水平部15aから下方に延びた保護フレーム15bとを備えている。なお、保護フレーム15bはその下端が前フレーム１１の下端と連結されている。
【００２９】
水平フレーム15aは、本実施形態の簡易アイソレータ１を車椅子ＷＣに取り付けたときに、肘掛ＡＲよりもわずかに高い位置になるように配設されている（図１参照）。
一方、脚部保護フレーム15bは、水平フレーム15aの前端から下方に延びている。この脚部保護フレーム15bは、その軸方向が前フレーム１１と軸方向と平行となるように配置されている。しかも、脚部保護フレーム15bは、本実施形態の簡易アイソレータ１を車椅子ＷＣに取り付けたときに、車椅子ＷＣの足置きＦＲの側方に位置するように設けられている。
【００３０】
また、水平フレーム15aと後フレーム１２との間には、Ｌ字状に曲がった支持フレーム15cが設けられている。この支持フレーム15cは、その水平部分が水平フレーム15aと平行となるように配置されており、水平部分が水平フレーム15aと上方フレーム14aのほぼ中間に位置するように配設されている。
【００３１】
以上のように、側方フレーム10sに脚部保護フレーム15bおよび支持フレーム15cが設けられているので、カバー２０をフレーム１０に取り付けたときに、カバー２０が内方に凹んで、カバー２０内の患者と接触することを防ぐことができる。すると、カバー２０内の患者に収容されている患者の不快感を極力抑えることができる。具体的には、カバー２０が内方に凹んで患者の肩などに接触することを支持フレーム15cによって防ぐことができるし、カバー２０が内方に凹んで患者の足などに接触することを脚部保護フレーム15bによって防ぐことができる。
【００３２】
（連結機構１８の説明）
また、左右一対の側方フレーム10s，10sの間には、両者を連結する連結機構１８が設けられている。
この連結機構１８は、一対のパイプ材18a，18bの一端同士を軸18cによって屈曲可能に連結したものであり、一対のパイプ材18a，18bの他端は、それぞれ左右一対の側方フレーム10s，10sに軸着されている。このため、連結機構１８を屈曲させれば、左右一対の側方フレーム10s，10sの上端間を接近させることができ、連結機構１８を伸ばせば、左右一対の側方フレーム10s，10sの上端間を離間させて、所定の距離だけ離すことができる。
【００３３】
以上のごとき連結機構１８を設ければ、連結機構１８を伸すことによって左右一対の側方フレーム10s，10s間に患者を収容するスペースを形成することができる。また、連結機構１８を屈曲させることによって（図２点線の状態）、フレーム１０をコンパクトに畳んでおくことができる。
すると、安定した状態で簡易アイソレータ１を使用できるし、使用しないときには、小さなスペースでも簡易アイソレータ１を保管できる。
【００３４】
なお、左右一対の側方フレーム10s，10sにおいて、一対のパイプ材18a，18bの他端が接続される部分はとくに限定されない。接続する部分としては、例えば、後フレーム１２の上端近傍、または、上方フレーム14aの後端近傍、を挙げることができる。
【００３５】
また、一対のパイプ材18a，18bの連結部分には、一対のパイプ材18a，18bが一方向にのみ屈曲することを許容するカバー18dを設けておくことが好ましい。かかるカバー18dを設けておけば、連結機構１８が必要以上に曲がることを防ぐことができる。
この場合、一対のパイプ材18a，18bが屈曲する方向はとくに限定されないが、図２に示すように、外方にのみ屈曲するように設けることが好ましい。すると、使用中に何らかの衝撃や震動等が加わって連結機構１８が折れ曲がることがあったとしても、カバー２０が患者に接触することを防ぐことができるし、折れ曲がった連結機構１８が患者に当たることもない。
【００３６】
さらに、連結機構１８は複数本設けてもよい。この場合、カバー２０内の気圧を陰圧とした場合でも、カバー２０が内方に凹むこと連結機構１８によって防ぐことができる。例えば、連結機構１８を互いに平行となるように、上部フレーム14aの軸方向に沿って複数本配置し、隣接する連結機構１８の軸18c同士を連結する連結軸を設ければ、カバー２０が内方に凹むことを確実に防ぐことができるし、連結軸を持って連結機構１８を屈曲できるので好ましい。
【００３７】
上記の連結機構１８を伸ばした状態が、特許請求の範囲にいう使用姿勢に相当し、連結機構１８を屈曲させた状態が、特許請求の範囲にいう折畳姿勢に相当する。
なお、連結機構１８の構造は上記のごとき構造に限定されず、使用姿勢と折畳姿勢との間で姿勢を変更することができる構造であれば、どのような構造も採用することができる。
【００３８】
また、フレーム１０における側方フレーム10sに、点滴などを取り付けることができる点滴台を設けてもよい。例えば、側方フレーム10sの側方に、フックを有する棒状の部材を設けておけば、そのフックに点滴容器を吊り下げることができる。すると、後述するカバー２０に、点滴用チューブを通すことができる孔であって点滴用チューブを孔に通した状態で気密性を確保できる構造を有するものを形成しておけば、その孔を通してカバー２０内の患者に点滴をすることができるし、点滴をしたまま移動することも可能となる。
【００３９】
（カバー２０の説明）
カバー２０は、内部に中空な空間を形成することができる構造を有する袋状の部材であり、前記フレーム１０に取り付けて使用されるものである。このカバー２０は、内部を膨らませた状態では、側面形状が、フレーム１０の側方フレーム10sとほぼ同じ形状となるように形成されている。
【００４０】
図３および図４に示すように、カバー２０は、複数枚のシート状部材２１を補強部材２２によって連結した構造を有している。
具体的には、側方フレーム10sとほぼ同じ形状に形成された一対の側面シート21a，21a、一対の側面シート21a，21a間に設けられた３つのシート状部材（背面シート21b、座部シート21c、上部シート21d）から構成されており、隣接するシート同士を補強部材２２によって連結して形成されている。この補強部材２２が設けられている部分が、特許請求の範囲に言う補強部分に相当する。
【００４１】
なお、カバー２０は、一枚のシートから形成してもよい。この場合には、カバー２０内を外部から気密に保ちやすくなるという利点が得られる。
また、カバー２０を構成する各シート状部材の素材はとくに限定されない。例えば、通気性を有しない素材である、塩化ビニール（ＰＶＣシート）、ポリエチレン（ＰＥ、ＰＥ／ＥＶＡ／ＰＥ）（ＰＥシート）、ポリエステル（ＰＥＴシート）などによって形成されたシートを挙げることができる。
【００４２】
つぎに、各シート状部材を説明する。
【００４３】
一対の側面シート21a，21aは、側方フレーム10sとほぼ同じ形状に形成されたシート状の部材である。
【００４４】
背面シート21bは、一対の側面シート21a，21a間の背面部間に配置されるシートである。具体的には、本実施形態の簡易アイソレータ１を車椅子ＷＣに取り付けたときに、車椅子ＷＣの背もたれＢ部分の位置に配置されるように、背面シート21bは設けられている。
【００４５】
座部シート21cは、一対の側面シート21a，21a間の下部の間に配置されるシートである。具体的には、本実施形態の簡易アイソレータ１を車椅子ＷＣに取り付けたときに、車椅子ＷＣの座部Ｓから足置きＦＲまでを覆うように、座部シート21cは設けられている。
【００４６】
上部シート21dは、一対の側面シート21a，21a間の上部および前部の間に配置されるシートである。具体的には、本実施形態の簡易アイソレータ１を取り付けた車椅子ＷＣに患者を座らせたときに、患者の頭上および前面を覆うように、上部シート21dは設けられている。この上部シート21dの前面には、ファスナーｆによって開閉できる扉部ｄｒが設けられている。この扉部ｄｒは、ファスナーｆを開けば上部シート21dの前面に開口が形成されてこの開口からカバー２０内に患者が出入りでき、ファスナーｆによって開口を閉じればカバー２０内部と外部との間を隔離できるように形成されている。この扉部ｄｒを開閉するファスナーｆはとくに限定されず公知のファスナーを使用できるが、ファスナーｆを閉じると、扉部ｄｒを略気密に閉じることができるものが好ましい。例えば、ファスナーｆとしては、ビスロン、砲金（真鍮）、、アルミニウム、ステンレス製のファスナーなどを挙げることができる。
【００４７】
（補強部材２２の説明）
上述したように、隣接するシート状部材同士の間には、補強部材２２が設けられている。
具体的には、一対の側面シート21a，21aの後端縁と背面シート21bの側端縁との間には、これらの端縁に沿って補強部材２２が取り付けられている。一対の側面シート21a，21aの下端縁と座部シート21cの側端縁との間には、これらの端縁に沿って補強部材２２が取り付けられている。一対の側面シート21a，21aの前端縁および上端縁と上部シート21dの側端縁との間も、これらの端縁に沿って補強部材２２が取り付けられている。そして、背面シート21bの上端縁と上部シート21dの後端縁との間、背面シート21bの下端縁と座部シート21cの後端縁との間、および、上部シート21dの前端縁と座部シート21cの前端縁との間も、これらの端縁に沿って補強部材２２が取り付けられている。
【００４８】
この補強部材２２は、シート状部材の材料よりも高強度の材料によって形成された略テープ状の部材である。この補強部材２２の材料には、例えば、塩化ビニール、ポリエチレン（ＰＥ、ＰＥ／ＥＶＡ／ＰＥ）、ポリエステルなどを挙げることができる。
【００４９】
この補強部材２２には、カバー２０をフレーム１０に取り付けるための固定部材22aが設けられている。この固定部材22aは、面状ファスナーなどであり、フレーム１０に対して着脱できるものであれば、とくに限定されない。面状ファスナーの素材もとくに限定されず、例えば、ポリエステル100％のものなどを使用することができる。
【００５０】
以上のごとき構成を有するので、固定部材22aをフレーム１０に対して固定すれば、カバー２０をフレーム１０に固定することができる。しかも、固定部材22aは、シート状部材の材料よりも高強度の材料によって形成された補強部材２２に取り付けられている。すると、フレーム１０とカバー２０との間を離間させるような力が加わっても、その力は固定部材22aを介して補強部材２２に加わるがシート状部材２１には加わらないから、シート状部材２１が損傷する可能性を低くすることができる。
【００５１】
（シートベルト２５について）
また、図４（Ｂ）に示すように、カバー２０内部には、患者の体を保持するためのシートベルト２５が設けられている。このシートベルト２５は、ベルト25aと、ベルトの巻き取り繰り出しを行うリトラクター25bと、ベルトを固定するベルトアンカー25cと、から構成されている。リトラクター25bは、図１における背面シート21bの下端縁と座部シート21cの後端縁との間に設けられた、左側の補強部材２２に取り付けられている。また、ベルトアンカー25cは、図１における背面シート21bの下端縁と座部シート21cの後端縁との間に設けられた、右側の補強部材２２に取り付けられている。
【００５２】
このため、カバー２０内で車椅子ＷＣの座部Ｓに患者を座らせて、腰の部分の上を通るようにベルト25aを配置して、このベルト25aをベルトアンカー25cに固定すれば、患者はカバー２０の補強部材２２に固定される。補強部材２２は、固定部材22aおよびフレーム１０を介して車椅子ＷＣに固定されている。すると、本実施形態の簡易アイソレータ１を取り付けた車椅子ＷＣを搬送車などに固定しておけば、シートベルト２５によって保持された患者の体は、実質的に、搬送車などに固定された状態になる。
したがって、本実施形態の簡易アイソレータ１を使用すれば、車椅子ＷＣに患者を載せたまま搬送車で搬送する場合でも、患者の体を安定した状態に保持しておくことができ、安全に搬送することができる。
【００５３】
なお、シートベルト２５は、リトラクター25bを備えていないものでもよく、この場合にはベルト25aの基端を直接補強部材２２に固定すればよい。
上記のシートベルト２５が特許請求の範囲にいう保持手段に相当するが、保持手段は、患者の体を保持することができるものであればとくに限定されない。
【００５４】
（車装備のシートベルトを使用する場合について）
カバー２０が上記のごときシートベルト２５を備えている場合には、このシートベルト２５によって患者を車椅子ＷＣに固定できるのであるが、カバー２０が、車自体が装備しているシートベルトを使用できる構造を有していてもよい。
図５において、符号ｓｆはカバー２０のように一対の側面シート21a，21aに設けられたファスナーを示している。このファスナーｓｆは、スライダーを一対備えたファスナーであり、一対のスライダーの位置を調整すれば、所望の位置に所望の大きさの開口を形成することができる。
このため、一方のファスナーｓｆから車自体が装備しているシートベルトのベルトをカバー２０内に入れて、他方のファスナーｓｆからベルトアンカーをカバー２０内に入れれば、カバー２０で両者を連結することができる。すると、車自体が装備しているシートベルトによって患者を車椅子ＷＣに固定することができる。
【産業上の利用可能性】
【００５５】
本発明の簡易アイソレータは、感染症患者及び感染症の疑いのある患者を隔離して搬送するアイソレータに適している。
【符号の説明】
【００５６】
１        簡易アイソレータ
１０        フレーム
10s      側方フレーム
１４ａ      上方フレーム
１４ｂ      傾斜フレーム
１８        連結機構
２０        カバー
２１        シート状部材
２２        補強部材
３０        換気手段
ＷＣ        車椅子
【図１】
2012110453.tif 000003
【図２】
2012110453.tif 000004
【図３】
2012110453.tif 000005
【図４】
2012110453.tif 000006
【図５】
2012110453.tif 000007